(57)【要約】【課題】噴出ノズル本体を所定角度に傾斜させることによりムースやエアゾールを噴出ノズルから噴出させる形式の噴出ノズル付き正圧缶に噴出ノズル部を含めて被せるカバーキャップであって、噴射ノズル部を保護し、意匠性を付与するカバーキャップ機能と噴出させるディスペンサー機能とを付加することにある。【解決手段】筒状の側板１と、該側板１の上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した垂直板４ａを備えた可動板４と、該可動板４に立設したノズル部５と、前記側板１の切欠部内に嵌入し且つ該側板１の前記切欠部下端部に復元性のある柔軟接続板６を介して立設した押圧板８と前記垂直板４ａに当接する水平板９とからなる逆Ｌ字型押板７とを備える。【選択図】図１
2004089845.tif 000002
【特許請求の範囲】
【請求項１】
筒状の側板１と、該側板１の上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した可動板４と、該可動板４に立設したノズル部５と、該可動板４の前部に設けた垂直板４ａと、前記側板１の切欠部内に嵌入し且つ該側板１の前記切欠部下端部に復元性のある柔軟接続板６を介して立設した押圧板８と水平板９とからなる逆Ｌ字型押板７とを備え、該押圧板８を押圧して水平板９先端を前記可動板４前部に設けた垂直板４ａに当接させることにより、該可動板４とノズル部５と該ノズル部５内に嵌入させた噴出ノズル付き正圧缶の噴出ノズル２３とを前記接続板３を介して傾斜揺動可能にしたことを特徴とする噴出ノズル付き正圧缶カバーキャップ。
【請求項２】
前記逆Ｌ字型押板７の押圧板８は、切り離し可能な繋ぎ部８ａにて前記切欠部１１の左右端部１３、１３と連結していることを特徴とする請求項１記載の噴出ノズル付き正圧缶カバーキャップ。
【発明の詳細な説明】
【０００１】
【発明の属する技術分野】
本発明は、容器内にプラス気圧を付加したムース（泡状液）やエアーゾール等の液体や気体を充填密封した噴出ノズル付き正圧缶の上部ノズル部に被せる噴出ノズル付き正圧缶カバーキャップに関する。
【０００２】
【従来の技術】
従来より、容器内にプラス気圧を付加して、芳香剤、消臭剤、あるいは整髪液やシャンプー剤、髭剃り剤、あるいは虫避け剤、殺虫剤など、エアゾールやムース（泡状液）等の液体を正圧気体と共に充填密封した正圧缶容器がある。
【０００３】
上記ムース缶やエアゾール缶は、噴出孔や噴出ノズルなどの注出部を備えていて、注出部の近傍に設けた開放用プッシュボタンを押圧することにより、注出部からムースやエアゾールを噴出させることができるようになっている。
【０００４】
また、噴出ノズル付き正圧缶の場合には、噴出ノズル本体を缶の内側方向に押圧したり、所定角度に傾斜させたりすることにより、噴出ノズル部と缶内とが連通し、噴出ノズルが開放して、缶内のムースやエアゾールを噴出ノズルから噴出させることができる形式のものがある。
【０００５】
【発明が解決しようとする課題】
本発明は、噴出ノズル本体を、所定角度に傾斜させることにより、噴出ノズル部と缶内とが連通し、噴出ノズルが開放して、缶内のムースやエアゾールを噴出ノズルから噴出させる形式の噴出ノズル付き正圧缶において、その缶の上部に噴出ノズル部を含めて被せるプラスチック製のカバーキャップであって、正圧缶の噴射ノズル部を保護するとともに、意匠性を付与するためのカバーキャップ機能と、そのカバーキャップの押圧板を横方向から押圧することにより正圧缶の噴出ノズルを傾斜させて、缶内のムースやエアゾールを噴出ノズルから噴出させるディスペンサー機能とを付加することにある。
【０００６】
【課題を解決するための手段】
本発明の請求項１に係る発明は、筒状の側板１と、該側板１の上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した可動板４と、該可動板４に立設したノズル部５と、該可動板４の前部に設けた垂直板４ａと、前記側板１の切欠部内に嵌入し且つ該側板１の前記切欠部下端部に復元性のある柔軟接続板６を介して立設した押圧板８と水平板９とからなる逆Ｌ字型押板７とを備え、該押圧板８を押圧して水平板９先端を前記可動板４前部に設けた垂直板４ａに当接させることにより、該可動板４とノズル部５と該ノズル部５内に嵌入させた噴出ノズル付き正圧缶の噴出ノズル２３とを前記接続板３を介して傾斜揺動可能にしたことを特徴とする噴出ノズル付き正圧缶カバーキャップである。
【０００７】
本発明の請求項２に係る発明は、上記請求項１に係る噴出ノズル付き正圧缶カバーキャップにおいて、前記逆Ｌ字型押板７の押圧板８は、切り離し可能な繋ぎ部８ａにて前記切欠部１１の左右端部１３、１３と連結していることを特徴とする噴出ノズル付き正圧缶カバーキャップである。
【０００８】
【発明の実施の形態】
本発明の噴出ノズル付き正圧缶カバーキャップの実施の形態を、図１、図３、図４に基づいて以下に詳細に説明すれば、図１は、噴出ノズル付き正圧缶カバーキャップＡの側断面図と、該カバーキャップＡを被せた噴出ノズル付き正圧缶Ｂの側面図、図３はカバーキャップＡの構造を説明する斜視図、図４はカバーキャップＡの全体斜視図である。
【０００９】
本発明のカバーキャップＡは、図１、図３に示すように、筒状の側板１と、該側板１の上端に天板２を備え、該側板１下端部より上側から天板２の中央部に亘って部分的に切欠部１１が設けられ、前記天板２部分の切欠部１１内には、該天板２に復元性のある柔軟接続板３（又は復元性のある薄肉部３）を介して連設した可動板４が水平方向に嵌入していて、該可動板４には、ノズル部５が立設し、該可動板４の前面には垂直板４ａが設けられている。
【００１０】
また、前記側板１部分の切欠部１１内には、該側板１部分の前記切欠部１１の下端部１２に復元性のある柔軟接続板６（又は復元性のある薄肉部６）を介して立設した押圧板８と水平板９とからなる逆Ｌ字型押板７が嵌入している。
【００１１】
図４に示すように、前記押圧板８の幅方向両側は、容易に切断可能な繋ぎ部８ａ、８ａが設けられて、側板１部分にある前記切欠部１１の左右端部１３、１３と繋がっていてバージン性が保持されており、使用する際に押圧板８前面を内方に向かって押圧することにより、該繋ぎ部８ａが切断して、押圧板８が側板１部分と切り離されるようになっている。
【００１２】
他方、前記逆Ｌ字型押板７の押圧板８上端に連設した水平板９先端部（内端部）は、図１に示すように、押圧板８が垂直状態において、水平方向の可動板４の前部に設けた垂直板４ａに対向離間した状態で設けられている。
【００１３】
本発明の噴出ノズル付き正圧缶カバーキャップＡは、図２、図４に示す逆Ｌ字型押板７の押圧板８を手指にて押圧することにより、繋ぎ部８ａ、８ａが切断して、押圧板８は接続板６を介して回動し、押圧板８上端の水平板９先端は、水平方向の可動板４の前部に設けた垂直板４ａに当接して、その当接移動により、該可動板４は、復元性のある柔軟な接続板３を介して、矢印方向に垂直板４ａ側が下降して、水平状態から傾斜状態に揺動し、可動板４に立設したノズル部５が、所定角度θだけ倒れるようになっている。
【００１４】
他方、逆Ｌ字型押板７の押圧板８の押圧を解除することにより、垂直板４ａに対する水平板９先端の当接は解除されて、可動板４は復元性のある接続板３の復元力により、図１に示すような水平状態に戻り、逆Ｌ字型押板７の押圧板８は、復元性のある接続板６の復元力により垂直方向に元の姿勢状態に戻る。
【００１５】
本発明の噴出ノズル付き正圧缶カバーキャップＡは、図１、図４に示すように噴出ノズル付き正圧缶Ｂの上部に被せて使用するものであり、図１に示すように正圧缶Ｂの上部に備えるノズル傾斜可動支持部２２に立設した噴出ノズル２３の少なくとも先端部は、カバーキャップＡのノズル部５の立設基端部の内部に嵌入した状態で被せられるものである。
【００１６】
そのため、図２に示すように、押圧板８を押圧することにより、可動板４及びノズル部５が所定角度θだけ傾斜し、該ノズル部５の立設基端部の内部に嵌入させた噴出ノズル付き正圧缶Ｂの噴出ノズル２３が傾斜揺動して、正圧缶Ｂ内のムースやエアゾールａは、噴出ノズル２３から噴出するとともにノズル部５から噴出される。
【００１７】
【発明の効果】
本発明の噴出ノズル付き正圧缶カバーキャップは、容器内にプラス気圧を付加して、芳香剤、消臭剤、あるいは整髪液やシャンプー剤、髭剃り剤、あるいは虫避け剤、殺虫剤など、エアゾールやムース（泡状液）等の液体を正圧気体と共に充填密封した正圧缶容器であって、噴出ノズル本体を、所定角度に傾斜させることにより、噴出ノズル部と缶内とが連通し、噴出ノズルが開放して、缶内のムースやエアゾールを噴出ノズルから噴出させる形式の噴出ノズル付き正圧缶において、その缶の上部に噴出ノズル部を含めて被せるプラスチック製のカバーキャップであって、正圧缶の噴射ノズル部を保護するとともに、意匠性を付与するためのカバーキャップ機能を備え、そのカバーキャップの押圧板を横方向から押圧することにより正圧缶の噴出ノズルを傾斜させて、缶内のムースやエアゾールを噴出ノズルから噴出させるディスペンサー機能とを付加することが可能である。
【図面の簡単な説明】
【図１】本発明の噴出ノズル付き正圧缶カバーキャップＡの側断面図及びカバーキャップＡを被せた噴出ノズル付き正圧缶Ｂの側面図。
【図２】本発明の噴出ノズル付き正圧缶カバーキャップの押圧板を押圧して、ムースやエアゾールを噴出させた状態を説明するカバーキャップＡの側断面図。
【図３】本発明の噴出ノズル付き正圧缶カバーキャップＡの構造を説明する斜視図。
【図４】噴出ノズル付き正圧缶Ｂに被せた本発明の噴出ノズル付き正圧缶カバーキャップＡの外観斜視図。
【符号の説明】
Ａ…噴出ノズル付き正圧缶カバーキャップ　Ｂ…噴出ノズル付き正圧缶
１…側板　２…天板　３…接続板　４…可動板　４ａ…垂直板　５…ノズル部
６…接続板　７…逆Ｌ字型押板　８…押圧板　８ａ…繋ぎ部　９…水平板
１１…切欠部　１２…切欠部水平下端部　１３…切欠部左右端部
【図１】
2004089845.tif 000003
【図２】
2004089845.tif 000004
【図３】
2004089845.tif 000005
【図４】
2004089845.tif 000006